【手続補正書】
【提出日】平成28年11月8日(2016.11.8)
【手続補正１】
【補正対象書類名】特許請求の範囲
【補正対象項目名】全文
【補正方法】変更
【補正の内容】
【特許請求の範囲】
【請求項１】
フレームのシーケンスをビデオ符号化するための方法であって、
移動する対象物（４１４）を描写するフレームのシーケンスを受信すること（Ｓ０２）を含み、前記シーケンスは、第１時点に対応する第１フレーム（４０２）、その後の第２時点に対応する第２フレーム（４１２）、及び、前記第１時点と前記第２時点との中間にある一又は複数の時点に対応する一又は複数の中間フレーム（４０４、４０６、４０８、４１０）を含み、前記方法は、
前記第１時点と前記第２時点との間の複数のフレームのシーケンスにおける、前記移動する対象物（４１４）の移動を予測すること（Ｓ０４）と、
前記移動する対象物（４１４）の予測された移動に基づいて、前記第１時点と前記第２時点との間の前記移動する対象物（４１４）の予測された移動中ずっと、前記移動する対象物（４１４）をカバーする、前記複数のフレーム内の関心領域（４１６）を画定すること（Ｓ０６）とを含み、前記関心領域は前記フレーム間で変動せず、前記方法は、
前記関心領域（４１６）のどの部分にどの符号化品質を使用するかを規定する共通かつ一定の符号化品質パターンを使用して、前記関心領域（４１６）において前記第１フレーム（４０２）を符号化し、前記関心領域（４１６）の１つのサブセットにおいて前記一又は複数の中間フレーム（４０４、４０６、４０８、４１０）を符号化すること（Ｓ０８）を含み、特定の中間フレームについて、前記関心領域のサブセットが、前記特定の中間画像フレームに対応する時点と前記第２時点との間の前記対象物の予測された移動中ずっと、前記対象物をカバーし、
前記方法は更に、
第１中間フレーム（４０４）について、前記関心領域（４１６）から一部分（４２２ａ）を除去することにより、前記関心領域（４１６）のサブセット（４２０ａ）を決定することと、
前記第１中間フレーム（４０４）に後続する各中間フレーム（４０６、４０８、４１０）について、直前の中間フレームを符号化する時に使用された前記サブセット（４２０ａ）から一部分（４２２ｂ）を除去することにより、前記関心領域のサブセット（４２０ｂ）を決定することとを含む、方法。
【請求項２】
前記符号化品質パターンは、前記関心領域（４１６）全体で使用される単一の符号化品質を規定する、請求項１に記載の方法。
【請求項３】
前記符号化品質パターンは、前記関心領域（４１６）の別々の部分で使用される異なる符号化品質を規定する、請求項１に記載の方法。
【請求項４】
各符号化品質は圧縮のレベルに対応する、請求項１から３のいずれか一項に記載の方法。
【請求項５】
前記第１フレーム（４０２）はイントラフレームとして符号化される、請求項１から４のいずれか一項に記載の方法。
【請求項６】
前記一又は複数の中間フレーム（４０４、４０６、４０８、４１０）はインターフレームとして符号化される、請求項１から５のいずれか一項に記載の方法。
【請求項７】
前記一又は複数の中間フレーム（４０４、４０６、４０８、４１０）のうちの全てではないが少なくともいくつかは、前記共通の符号化品質パターンを使用して、前記関心領域（４１６）全体において符号化される、請求項１から６のいずれか一項に記載の方法。
【請求項８】
前記関心領域（４１６）から除去された前記一部分（４２２ａ）は、前記第１フレーム（４０２）において前記対象物の少なくとも一部をカバーするが、前記第１中間フレーム（４０４）においてはそうではない領域に対応し、
前記直前の中間フレームを符号化する時に使用された前記サブセット（４２０ａ）から除去された前記一部分（４２２ｂ）は、前記直前の中間フレームにおいて前記対象物を少なくとも部分的にカバーするが、後続の中間フレームにおいてはそうではない領域に対応する、請求項１から７のいずれか一項に記載の方法。
【請求項９】
前記一又は複数の中間フレーム（４０４、４０６、４０８、４１０）の各々について、前記除去された一部分のための前記符号化品質パターンによって規定された符号化品質よりも低い符号化品質を用いて、前記除去された一部分（４２２ａ、４２２ｂ）において前記中間フレームを符号化することを更に含む、請求項１から８のいずれか一項に記載の方法。
【請求項１０】
前記関心領域は、長方形であって、前記長方形の第１の寸法が、前記フレーム内の第１方向に沿った前記第１時点と前記第２時点との間の前記移動する対象物の前記予測された移動をカバーし、かつ、前記長方形の他方の寸法が、前記フレーム内の前記第１方向に対して垂直である第２方向に沿った前記第１時点と前記第２時点との間の前記移動する対象物の前記予測された移動をカバーする、長方形を含む、請求項１から９のいずれか一項に記載の方法。
【請求項１１】
更に、
前記第２時点と、前記第２時点よりも後の第３時点との間の複数のフレームのシーケンスにおける、前記移動する対象物（４１６）の移動を予測することと、
前記移動する対象物の前記予測された移動に基づいて、前記第２時点と前記第３時点との間の前記移動する対象物（４１６）の予測された移動中ずっと、前記移動する対象物（４１６）をカバーするように、更なる関心領域（４１８）を画定することと、
前記第２フレーム（４１２）を符号化する時に、前記更なる関心領域（４１８）を使用することとを含む、請求項１から１０のいずれか一項に記載の方法。
【請求項１２】
更に、
少なくとも１つの中間フレームについて、前記移動する対象物が前記少なくとも１つの中間フレーム内で描写される際に前記関心領域によってカバーされているか否かを確認することを含み、もしカバーされていなければ、
前記少なくとも１つの中間フレームに対応する時点とその後の第４時点との間の複数のフレームのシーケンスにおける、前記移動する対象物の移動を予測することと、
前記移動する対象物の前記予測された移動に基づいて、前記一又は複数の中間フレームのうちの前記少なくとも１つの中間フレームに対応する前記時点と前記第４時点との間の前記移動する対象物の予測された移動中ずっと、前記移動する対象物をカバーするように、前記シーケンスの複数のフレーム内の前記関心領域を再画定することと、
前記少なくとも１つの中間フレームを符号化する時に、再画定された関心領域を使用することとを含む、請求項１から１１のいずれか一項に記載の方法。
【請求項１３】
処理能力を有するデバイスによって実行されると、請求項１から１２のいずれか一項に記載の前記方法を実施するよう適合したコンピュータコード指令を伴うコンピュータ可読媒体を備える、コンピュータプログラム製品。
【請求項１４】
フレームのシーケンスをビデオ符号化するためのエンコーダ（１０４）であって、
移動する対象物（４１４）を描写するフレームのシーケンスを受信するよう構成された受信機（２０２）を備え、前記シーケンスは、第１時点に対応する第１フレーム（４０２）、その後の第２時点に対応する第２フレーム、及び、前記第１時点と前記第２時点との中間にある一又は複数の時点に対応する一又は複数の中間フレーム（４０４、４０６、４０８、４１０）を含み、前記エンコーダは、
前記第１時点と前記第２時点との間の複数のフレームのシーケンスにおける、前記移動する対象物（４１４）の移動を予測するよう構成された、予測構成要素（２０４）と、
前記移動する対象物の予測された移動に基づいて、前記第１時点と前記第２時点との間の前記移動する対象物（４１４）の予測された移動中ずっと、前記移動する対象物（４１４）をカバーする、複数のフレーム内の関心領域（４１６）を画定するよう構成された、関心領域画定構成要素（２０６）とを備え、前記関心領域は前記フレーム間で変動せず、前記エンコーダは、
符号化構成要素（２０８）であって、
前記関心領域のどの部分にどの符号化品質を使用するかを規定する共通かつ一定の符号化品質パターンを使用して、前記関心領域（４１６）において前記第１フレーム（４０２）を符号化し、前記関心領域（４１６）の１つのサブセットにおいて前記一又は複数の中間フレームを符号化するよう構成され、特定の中間フレームについて、前記関心領域の前記サブセットが、前記特定の中間フレームに対応する時点と前記第２時点との間の前記対象物の予測された移動中ずっと、前記対象物をカバーする、符号化構成要素を備え、
前記符号化構成要素は更に、
第１中間フレーム（４０４）について、前記関心領域（４１６）から一部分（４２２ａ）を除去することにより、前記関心領域のサブセット（４２０ａ）を決定し、
前記第１中間フレーム（４０４）に後続する各中間フレーム（４０６、４０８、４１０）について、直前の中間フレームを符号化する時に使用された前記サブセット（４２０ａ）から一部分（４２２ｂ）を除去することにより、前記関心領域のサブセット（４２０ｂ）を決定するよう構成されている、エンコーダ（１０４）。